(57)【要約】      （修正有）【課題】洗浄に用いる水のタンクの追加なしに、通液洗浄を容易に行うことができる飲料製造装置を提供する。【解決手段】ミルク容器（ミルクパック）からミルク供給配管を介して供給されたミルクと空気とを混合してフォームドミルクを生成するギヤポンプを有するミルクフォーマと、湯タンク２１１から湯ポンプ２１２により供給される湯を用いてコーヒーを抽出するコーヒー抽出部と、制御部と、を有し、コーヒー抽出部は、湯タンク２１１の湯をコーヒー抽出部とギヤポンプのいずれかに供給する分岐弁２２１４を有し、制御部は、ミルクフォーマにおけるミルクの流路の洗浄を行う場合に、分岐弁２２１４を制御して湯をギヤポンプに供給した後、ギヤポンプを所定の方向に回転させてミルクの流路にギヤポンプ内の湯を流す。【選択図】図２
2018075177.tif 000002
【特許請求の範囲】
【請求項１】
ミルク容器からミルク供給配管を介して供給されたミルクと空気とを混合してフォームドミルクを生成するギヤポンプを有するミルクフォーマと、
湯タンクから湯ポンプにより供給される湯を用いてコーヒーを抽出するコーヒー抽出部と、
制御部と、
を有し、
前記コーヒー抽出部は、前記湯タンクの湯を前記コーヒー抽出部と前記ギヤポンプのいずれかに供給する分岐弁を有し、
前記制御部は、前記ミルクフォーマにおける前記ミルクの流路の洗浄を行う場合に、前記分岐弁を制御して前記湯を前記ギヤポンプに供給した後、前記ギヤポンプを回転させて前記ミルクの流路に前記ギヤポンプ内の湯を流す、
飲料製造装置。
【請求項２】
前記コーヒー抽出部がコーヒーの抽出を行うためのシリンダユニットに前記湯を供給するコーヒー側給湯配管において、前記分岐弁は、前記湯ポンプと前記シリンダユニットとの間に設けられ、前記分岐弁より下流側の前記湯の流路を、前記コーヒー側給湯配管により構成される流路と、前記ギヤポンプに前記湯タンクの湯を供給するための洗浄用水供給配管により構成される流路と、のいずれかに切り替える、
請求項１に記載の飲料製造装置。
【請求項３】
前記ギヤポンプに空気を供給するエアポンプと、
前記エアポンプの供給する空気が流れる空気供給配管、前記洗浄用水供給配管、および前記ギヤポンプに供給される前記空気および洗浄用水のうちの少なくとも１つが流れる共用配管が接続された分岐部材と、
をさらに有する請求項２に記載の飲料製造装置。
【請求項４】
前記分岐部材は、
前記空気供給配管の下流端に一端が接続された第１チューブと、
前記洗浄用水供給配管の下流端に一端が接続された第２チューブと、
前記共用配管の上流端に一端が接続された第３チューブと、
前記第１から第３チューブの他端が先端部に接続された三方管と、
により構成される、請求項３に記載の飲料製造装置。
【請求項５】
前記湯ポンプと前記ギヤポンプとの間に設けられ、前記湯ポンプからの湯を減圧する減圧部をさらに有する、
請求項１から４のいずれか一項に記載の飲料製造装置。
【発明の詳細な説明】
【技術分野】
【０００１】
本開示は、流路の洗浄を行うことができる飲料製造装置に関する。
【背景技術】
【０００２】
従来、例えばコーヒー抽出機やミルクフォーマを有し、コーヒー飲料等を製造および／または供給できる飲料製造装置が普及している。このような飲料製造装置では、飲料の原料が飲料製造装置内部の流路を通って飲料が製造され、飲料容器まで導出される。衛生上の観点から、飲料の原料や飲料が通る飲料製造装置内部の流路は定期的に洗浄される必要がある。
【０００３】
飲料製造装置内部の流路は、例えば飲料製造装置の分解洗浄によって洗浄することができる。しかしながら、飲料製造装置を分解洗浄するためには、飲料製造装置を分解して洗浄した後組み立てる必要があるので、多大な時間、手間およびコストがかかる。
【０００４】
このため、分解せずに流路に例えば洗剤液を流すことで飲料経路を洗浄する技術（以下、通液洗浄）が存在する。例えば特許文献１には、ホットフォーム用の流路を設定する第一のスロットルおよび連続流れ式ヒータに洗浄用液および／または蒸気を供給するべく形成された洗浄用導管と、コールドフォーム用の第２のスロットルと、を有し、当該洗浄用導管が、第一のスロットルおよび連続流れ式ヒータの上流側で、液体食品（ミルク等）の流路に合流した装置が開示されている。
【先行技術文献】
【特許文献】
【０００５】
【特許文献１】特開２０１６−４３２６６号公報
【発明の概要】
【発明が解決しようとする課題】
【０００６】
特許文献１に開示された装置のように、洗浄に使用する水または湯を供給するユニットが設けられる場合、飲料の製造のために必要な構成に加えて、洗浄水（湯）のタンクが必要となる。このため、飲料製造装置が大型化し、所定のスペースに設置することが困難となる場合がある。
【０００７】
また、例えば水道から直接洗浄に使用する水を取得するように構成した場合、水道に水が逆流しないよう、逆止弁等の追加の構成が必要となり、飲料製造装置の製造コストが増大する場合がある。さらに、水道栓の位置との関係上、飲料製造装置の設置位置が制限される場合がある。
【０００８】
本開示は、洗浄に用いる水のタンクの追加なしに、通液洗浄を容易に行うことができる飲料製造装置を提供することを目的とする。
【課題を解決するための手段】
【０００９】
本開示の飲料製造装置は、ミルク容器からミルク供給配管を介して供給されたミルクと空気とを混合してフォームドミルクを生成するギヤポンプを有するミルクフォーマと、湯タンクから湯ポンプにより供給される湯を用いてコーヒーを抽出するコーヒー抽出部と、制御部と、を有し、前記コーヒー抽出部は、前記湯タンクの湯を前記コーヒー抽出部と前記ギヤポンプのいずれかに供給する分岐弁を有し、前記制御部は、前記ミルクフォーマにおける前記ミルクの流路の洗浄を行う場合に、前記分岐弁を制御して前記湯を前記ギヤポンプに供給した後、前記ギヤポンプを回転させて前記ミルクの流路に前記ギヤポンプ内の湯を流す。
【発明の効果】
【００１０】
本開示によれば、洗浄に用いる水のタンクの追加なしに、通液洗浄を容易に行うことができる。
【図面の簡単な説明】
【００１１】
【図１】本開示の実施の形態に係る飲料製造装置の斜視図
【図２】コーヒー抽出部の構成を示す図
【図３】蒸気供給部、ミルク供給部、空気供給部の構成を示す図
【図４】Ｔ字分岐部の構成の一例を示す図
【図５】ノズルユニットの拡大斜視図
【図６】ノズルユニットの分解図
【図７】図５の線Ｖ−Ｖ’に沿うミルクフォーマの縦断面を前方から見た時の図
【図８】ギヤポンプおよびその周辺構成の分解図
【図９】大径ギヤおよび小径ギヤと、ケースの内部空間との寸法を示す図
【図１０】ミルクフォーマの左側面図であり、その内部を部分的に透視した図
【図１１】分岐部、バルブおよびモータ側ギヤを左側方から見た一部断面図であって、第１出口および第２出口の切り替えを示す図
【図１２】ノズルユニットおよびバルブ用モータの底面図
【図１３】飲料製造装置の各部を制御する制御部を例示した図
【図１４】洗浄動作の際の洗浄用水（湯）の流れを説明するための図
【発明を実施するための形態】
【００１２】
以下、本開示の各実施の形態について図面を参照して詳細に説明する。ただし、必要以上に詳細な説明、例えば、既によく知られた事項の詳細説明や実質的に同一の構成に対する重複説明等は省略する場合がある。
【００１３】
なお、以下の説明および参照される図面は、当業者が本開示を理解するために提供されるものであって、本開示の請求の範囲を限定するためのものではない。
【００１４】
＜方向の定義＞
まず、以下の実施の形態における方向について定義する。飲料製造装置１の前面とユーザとが正対した時の左から右、あるいは右から左に向かう軸に沿った方向を左右方向と定義する。また、飲料製造装置１の前面とユーザとが正対した時の飲料製造装置１の前面から背面、あるいは背面から前面に向かう方向を前後方向と定義する。また、飲料製造装置１の前面とユーザとが正対した時の飲料製造装置１の底面から上面、あるいは上面から底面に向かう方向を上下方向と定義する。以下では、左右方向、前後方向および上下方向に沿った軸を、それぞれｘ軸、ｙ軸、ｚ軸と称する場合がある。
【００１５】
＜１．第１の実施の形態＞
＜１−１．飲料製造装置１の概略構成＞
図１は、飲料製造装置１の斜視図である。飲料製造装置１は、例えば業務用であって店舗等に設置される。飲料製造装置１は、本体２と、ドア３と、ボタン群４（点線で囲まれた部分を参照）と、キャニスタ５と、ミルク保冷庫６と、ノズルユニット７と、ドリップトレイ８と、を備えている。
【００１６】
ドア３は、本体２の前面に、開閉自在に取り付けられる。ボタン群４は、ドア３の前面に配置される。ボタン群４に含まれる複数のボタンには、飲料製造装置１が提供可能な飲料の種類（エスプレッソコーヒー、ドリップコーヒー（ホット・アイス）、カフェラテ（ホット・アイス）、カプチーノ（ホット・アイス）等）がそれぞれ割り当てられている。所望の飲料が割り当てられたボタンがユーザにより操作されると、飲料製造装置１は、操作されたボタンに割り当てられた飲料を製造して提供する。なお、本実施の形態における飲料製造装置１は、コーヒーを用いた飲料を製造するものとする。
【００１７】
キャニスタ５は、本体２の上面に取り付けられ、コーヒー豆を保存する。ミルク保冷庫６は、少なくとも一個のミルクパック９（後述の図３を参照）を収容して低温で保存する。
【００１８】
ノズルユニット７は、本体２の前面に設けられ、本体２の内部で製造された飲料を下方に向けて吐出する。また、ノズルユニット７は、ミルクパック９から供給されたミルクを用いてフォームドミルク（ホット・コールド）、スチームミルク(ホット)、コールドミルク等を生成して下方に向けて吐出する。これらのミルクと本体２の内部で製造された飲料とがノズルユニット７からそれぞれ別々に吐出され、容器１０内で混ぜ合わせられることにより多様な飲料が生成される。
【００１９】
ドリップトレイ８は、本体２の下端部から前方に突出している。ノズルユニット７から吐出される飲料は、ドリップトレイ８に載置された飲料の容器１０に提供される。また、
ドリップトレイ８は、ノズルユニット７から垂れたり、容器１０からこぼれたりした飲料を収集し貯留する。
【００２０】
後述する図２に示すように、本体２の内部には、キャニスタ５に保存されたコーヒー豆を使ってコーヒーを生成するコーヒー抽出部２１が設けられている。また、後述する図３に示すように、本体２の内部には、蒸気供給部２２と、空気供給部２４と、洗浄用水供給部２５がさらに設けられている。また、本体２の外部にはミルク供給部２３が設けられている。なお、本件出願人は、コーヒー抽出部と、蒸気供給部、ミルク供給部および空気供給部に関しては、特開２０１３−１６５８１４号公報等に開示している。よって、本実施形態において、特開２０１３−１６５８１４号公報等の開示内容に相当する部分に関しては、簡単に説明する。
【００２１】
図２は、コーヒー抽出部２１の構成を示す図である。コーヒー抽出部２１は、図２に示すように、湯タンク２１１と、湯ポンプ２１２と、フィルタ２１３と、分岐弁２２１４と、給湯弁２１４と、コーヒー側給湯配管２１５と、昇降装置２１６と、シリンダユニット２１７と、キャップ２１８と、コーヒー液配管２２１２と、ミル２２１３と、を有する。
【００２２】
湯タンク２１１は、大気開放型のタンクであって、所定量の飲料水を、内蔵のヒータ（図示せず）により所定温度に加熱した状態で貯留する。
【００２３】
湯ポンプ２１２は、湯タンク２１１内の湯を加圧して排出させるポンプである。湯ポンプ２１２の排出口にはコーヒー側給湯配管２１５の上流端が接続される。コーヒー側給湯配管２１５には、フィルタ２１３と、分岐弁２２１４と、電磁弁等からなる給湯弁２１４とが設けられる。コーヒー側給湯配管２１５の下流端は、後述のシリンダ２１９の給湯口に挿抜可能に接続される。
【００２４】
分岐弁２２１４は、例えば電磁弁であり、湯タンク２１１と、コーヒーを抽出するシリンダユニット２１７との間に設けられる。より詳細には、分岐弁２２１４は、分岐弁２２１４より上流側（フィルタ２１３側）のコーヒー側給湯配管２１５であるコーヒー側給湯配管２１５ａと、分岐弁２２１４より下流側（給湯弁２１４）のコーヒー側給湯配管２１５ｂと、洗浄用水供給部２５（図３参照）の洗浄用水供給配管２５１の上流端と、に接続される三方分岐弁である。
【００２５】
分岐弁２２１４は、コーヒー側給湯配管２１５ａを通って湯ポンプ２１２により湯タンク２１１から流れてきた湯を、コーヒーを抽出する場合は給湯弁２１４に繋がるコーヒー側給湯配管２１５ｂへ、ミルクフォーマ７３の洗浄を行う場合は洗浄用水供給部２５の洗浄用水供給配管２５１へ、それぞれ流す。すなわち、分岐弁２２１４は、湯ポンプ２１２とシリンダユニット２１７との間に設けられ、分岐弁２２１４より下流側の湯の流路を、コーヒー側給湯配管２１５ｂにより構成される流路と、洗浄用水供給配管２５１により構成される流路と、のいずれかに切り替える。なお、ミルクフォーマ７３の洗浄動作の詳細については、後述する。
【００２６】
シリンダユニット２１７は、上下方向に移動可能に構成され、シリンダ２１９と、ピストン２２１０と、を有する。シリンダ２１９の上面は開口し、シリンダ２１９の下端部近傍の側面には給湯口が形成される。ピストン２２１０は、通水性を有しており、シリンダ２１９の内部空間を移動可能である。
【００２７】
キャップ２１８は、シリンダユニット２１７の上方に設けられ、上昇してきたシリンダ２１９に填め込まれてその開口を塞ぐ。シリンダ２１９を塞いだキャップ２１８の下面、シリンダ２１９の内周面およびピストン２２１０の上面で囲まれた空間がコーヒー液の抽出室を形成する。
【００２８】
キャップ２１８には、キャップ２１８の下面から上面まで貫通する抽出孔２２１１が形成される。この抽出孔２２１１を、抽出室内で得られたコーヒー液が通過する。この抽出孔２２１１の上端は、コーヒー液配管２２１２を介してコーヒー用ノズル７２に流体連通するように接続される。
【００２９】
本体２内部の上方にはミル２２１３が設けられる。ミル２２１３は、キャニスタ５に収容されたコーヒー豆を粉砕して挽き豆を生成する。
【００３０】
次に、コーヒー抽出部２１の動作を説明する。ボタン群４（図１を参照）のうちの特定のボタンが操作されると、ミル２２１３は挽き豆を生成する。生成された挽き豆は上述の抽出室に投入される。
【００３１】
次に、昇降装置２１６によりシリンダユニット２１７が上昇させられ、シリンダ２１９の開口内にキャップ２１８が押し込まれる。これにより、抽出室内の挽き豆は、ピストン２２１０とキャップ２１８との間で圧縮される。
【００３２】
次に、湯ポンプ２１２が運転され、かつ、給湯弁２１４が開いて、湯タンク２１１から、所定量の湯がシリンダ２１９内に加圧供給される。その結果、高濃度のコーヒー液が得られる。得られたコーヒー液は、キャップ２１８から送り出され、コーヒー液配管２２１２を介してコーヒー用ノズル７２から排出される。その後、ドリップトレイ８（図１を参照）に載置された容器１０に注がれる。
【００３３】
次に、本体２の内部および外部に設けられた蒸気供給部２２、ミルク供給部２３、空気供給部２４、洗浄用水供給部２５の構成について説明する。図３は、蒸気供給部２２、ミルク供給部２３、空気供給部２４、洗浄用水供給部２５の構成を示す図である。
【００３４】
図３に示すように、蒸気供給部２２は、電磁ポンプ２２１と、ミルク側給湯配管２２２と、ボイラ２２３と、蒸気用配管２２４と、三方弁２２５と、を有する。なお、湯タンク２１１は、コーヒー抽出部２１と共用されればよい。
【００３５】
湯タンク２１１内の湯は、電磁ポンプ２２１の運転により、ミルク側給湯配管２２２を介してボイラ２２３に供給される。ボイラ２２３は、内蔵の電気ヒータ（図示せず）により常時一定の温度になるよう制御されており、電磁ポンプ２２１の運転により供給された湯を用いて蒸気を生成する。生成された蒸気は、蒸気用配管２２４および三方弁２２５を介して、ホットミルク用ノズル７１０に供給される。
【００３６】
また、図３に示すように、ミルク供給部２３は、上述のミルク保冷庫６に加え、ミルク供給配管２３１を有する。
【００３７】
ミルク供給配管２３１の上流端は、ミルク保冷庫６に収納されたミルクパック９の内部に挿入される。また、ミルク供給配管２３１の下流端は、後述するギヤポンプ７４（図５等参照）のミルク用入口７４６に流体連通するように接続される。
【００３８】
また、図３に示すように、空気供給部２４は、エアポンプ２４１と、空気供給配管２４２と、空気弁２４３と、を有する。
【００３９】
エアポンプ２４１は、図示しないモータにより駆動され、外部の空気を吸入して、空気供給配管２４２に送り出す。空気供給配管２４２の下流端は、後述する洗浄用水供給部２５のＴ字分岐部２５２に流体連通するように接続される。また、空気供給配管２４２の途中には、電磁弁等からなる空気弁２４３が設けられる。空気弁２４３が開放されると、エアポンプ２４１から送り出された空気が空気供給配管２４２を介してＴ字分岐部２５２に供給される。
【００４０】
洗浄用水供給部２５は、洗浄用水供給配管２５１と、Ｔ字分岐部２５２と、共用配管２５３と、を有する。洗浄用水供給配管２５１は、コーヒー抽出部２１の分岐弁２２１４に接続され、ミルクフォーマ７３の洗浄に用いるための湯を湯タンク２１１から供給する。洗浄用水供給配管２５１の下流端は、Ｔ字分岐部２５２に流体連通するように接続される。
【００４１】
Ｔ字分岐部２５２は、空気供給配管２４２の下流端と、洗浄用水供給配管２５１の下流端と、後述する共用配管２５３の上流端と、に接続される。換言すれば、Ｔ字分岐部２５２は、エアポンプ２４１と、分岐弁２２１４と、後述するギヤポンプ７４の共用入口７４７と、に流体連通するように接続される。Ｔ字分岐部２５２は、空気供給配管２４２からの空気や、洗浄用水供給配管２５１からの洗浄用水を共用配管２５３を介してギヤポンプ７４に供給する。
【００４２】
このように、飲料製造装置１において飲料を製造する場合には、エアポンプ２４１が動作して空気を空気供給配管２４２からＴ字分岐部２５２および共用配管２５３を通ってギヤポンプ７４に供給するが、ミルクフォーマ７３の洗浄を行う場合には、湯ポンプ２１２が動作して洗浄用水を洗浄用水供給配管２５１からＴ字分岐部２５２および共用配管２５３を通ってギヤポンプ７４に供給する。飲料製造装置１において、ミルクフォーマ７３の洗浄を行う場合の飲料製造装置１の動作については、後に詳しく説明する。
【００４３】
図４は、Ｔ字分岐部２５２の構成の一例を示す図である。図４に示すように、Ｔ字分岐路は、Ｔ字管２５２１と、３つのチューブ２５２２、２５２３、２５２４を有する。
【００４４】
Ｔ字管２５２１は、Ｔ字型の管状の部材であって、例えば樹脂や金属で形成される。
【００４５】
チューブ２５２２〜２５２４は、Ｔ字管２５２１の三方に取り付けられる。チューブ２５２２〜２５２４は、例えばゴムや樹脂等の比較的柔らかい素材で形成されることが望ましい。チューブ２５２２は、一端が空気供給配管２４２に、他端がＴ字管２５２１の一方に接続される。チューブ２５２３は、一端が洗浄用水供給配管２５１に、他端がＴ字管２５２１の一方に接続される。チューブ２５２４は、一端が共用配管２５３に、他端がＴ字管２５２１の一方に接続される。チューブ２５２４は、ある程度の長さ（例えば数十ｍｍ〜百数十ｍｍ程度）を有して形成される。チューブ２５２２、２５２３の長さは、例えば飲料製造装置１の大きさ等に基づいて適宜調整されればよい。
【００４６】
Ｔ字分岐部２５２は、このように三方、すなわち洗浄用水供給配管２５１、空気供給配管２４２、および共用配管２５３のそれぞれとチューブ２５２２〜２５２４によって接続されている。このため、例えばチューブ２５２４をＴ字管２５２１から引く抜くことで、チューブ２５２４部分における取り外しを容易に行うことができる。これにより、例えば飲料製造装置１を分解洗浄する際に、取り外しおよび取り付けに要する手間および時間を短縮することができる。
【００４７】
＜１−２．ノズルユニットおよびこれに関連する構成＞
次に、図１および図５から図１２を参照して、ノズルユニット７の詳細な構成について説明する。ノズルユニット７は、図１および図５に示すように、本体２の前面に設けられ、カバー７１と、コーヒー用ノズル７２と、ミルクフォーマ７３と、を含む。なお、図５にはカバー７１は示されていない。ミルクフォーマ７３は、図５から図１２に示すように、ギヤポンプ７４と、分岐部７５と、バルブ７６と、コールドミルク用ノズル７７と、調質器７８と、ミルクフォーマ内のミルク用流路７９と、ホットミルク用ノズル７１０と、を有する。なお、コールドミルク用ノズル７７およびホットミルク用ノズル７１０は、ミルク用ノズルの一例である。
【００４８】
ギヤポンプ７４は、ミルクを移送する移送ポンプであって、図７および図８に示すように、ケース７４１と、大径ギヤ７４２と、小径ギヤ７４３と、蓋７４４と、を有する。
【００４９】
大径ギヤ７４２および小径ギヤ７４３は、互いに噛み合った状態でケース７４１内に収容される。また、大径ギヤ７４２には、ポンプ側磁石７４５が内蔵される。ポンプ側磁石７４５の詳細については後述する。
【００５０】
図９は、大径ギヤ７４２および小径ギヤ７４３の寸法と、ケースの内部空間の寸法とを示す図である。本実施の形態では、図９に示すように、大径ギヤ７４２および小径ギヤ７４３の歯先円直径をＯＤ１、ＯＤ２とし、両ギヤ７４２、７４３の歯底円直径をＲＤ１、ＲＤ２とする。また、両ギヤ７４２、７４３の歯幅（ｙ軸方向幅）は互いに実質同じであり、Ｗ（図示せず）とする。
【００５１】
ケース７４１は、例えば樹脂等のような非磁性材料で作製される。このケース７４１によって、両ギヤ７４２、７４３を収容する内部空間ＩＳ１が形成される。この内部空間ＩＳ１は、図９に示すように、大径側円弧面Ｓ１と、小径側円弧面Ｓ２と、底面Ｓ３と、上面Ｓ４と、前面Ｓ５とで定義される。
【００５２】
円弧面Ｓ１、Ｓ２は、ｙ軸方向から正面視した場合に、半径が概ねＯＤ１／２、ＯＤ２／２の円弧をなす辺を含む円弧状の面である。
【００５３】
底面Ｓ３は、正面視した場合に、両円弧面Ｓ１、Ｓ２の歯先円に接する下方側の２つの接線（図９における紙面に垂直な２つの線分）を含む面である。それに対し、上面Ｓ４は、上方側の２つの接線（図９における紙面に垂直な２つの線分）を含む面である。前面Ｓ５は、面Ｓ１〜Ｓ４で囲まれた空間ＩＳ１を本体２の前面側（図９における手前側）で閉止する面である。
【００５４】
なお、内部空間ＩＳ１は、上記寸法に対して公差程度の差を有していてもよい。また、ギヤポンプ７４の設計段階で、上記寸法に対して若干余裕を持つように設計されてもよい。
【００５５】
また、ケース７４１は、図７、図８および図９に示すように、ミルク用入口７４６と、共用入口７４７と、ミルク用出口７４８と、を有する。ミルク用入口７４６は、ケース７４１の上面Ｓ４に形成された貫通孔を介してギヤポンプ７４の内部空間ＩＳ２と流体連通可能な円筒または管状の部材である。なお、内部空間ＩＳ２とは、ギヤポンプ７４の内部空間ＩＳ１のうち、上面Ｓ４と、大径ギヤ７４２および小径ギヤ７４３で囲まれた空間（図９の斜線部分）である。ミルク用入口７４６には、上述のミルク供給配管２３１の下流端が流体連通可能に接続される。
【００５６】
共用入口７４７は、ケース７４１に形成された貫通孔を介してギヤポンプ７４の内部空間ＩＳ２と流体連通可能な円筒または管状の部材である。共用入口７４７には、上述の共用配管２５３の下流端が流体連通可能に接続される。
【００５７】
なお、本実施の形態では、共用入口７４７は、ミルク用入口７４６と同様に、ギヤポンプ７４の内部空間ＩＳ２と流体連通可能に構成されている。ミルク用入口７４６および共用入口７４７は、上面Ｓ４の中央またはその近傍に形成されることが好ましい。
【００５８】
ミルク用出口７４８は、ケース７４１の底面Ｓ３に形成された貫通孔である。このミルク用出口７４８は、分岐部７５と流体連通可能である。ミルク用出口７４８は、底面Ｓ３の中央またはその近傍に形成されることが好ましい。
【００５９】
以上のケース７４１は、図７等に示すように、内部空間ＩＳ１の底面Ｓ３がｘｙ平面と平行になるよう本体２の前面に取り付けられる。そして、蓋７４４は、両ギヤ７４２、７４３が収容されたケース７４１の開口部分を閉止する。
【００６０】
大径ギヤ７４２を回転させるために、本体２には、図６から図８に示すように、ギヤポンプ用モータ２６が内蔵される。ギヤポンプ用モータ２６は、回転軸２６１と、モータ側磁石２６２と、を有する。モータ側磁石２６２は、大径ギヤ７４２に内蔵されたポンプ側磁石７４５（図７を参照）とマグネットカップリングして、ギヤポンプ用モータ２６で生成された駆動トルクをポンプ側磁石７４５に伝達する。これにより、ポンプ側磁石７４５が内蔵された大径ギヤ７４２が回転し始め、小径ギヤ７４３が大径ギヤ７４２に従動回転する。
【００６１】
大径ギヤ７４２は、ミルクフォーマ７３において飲料を製造する時には、ギヤポンプ用モータ２６によって、本飲料製造装置１の正面から見て時計回りに回転される（図９に示す矢印ａを参照）。これに伴い、小径ギヤ７４３は、同方向から見て反時計回りに回転する（図９に示す矢印ｂを参照）。ギヤポンプ７４がこの回転方向に回転することを、以下では、ギヤポンプ７４が順回転すると記載する。
【００６２】
ギヤポンプ７４の順回転時には、ミルク用入口７４６あるいは共用入口７４７からケース７４１内に流入した液体あるいは空気は、回転する大径ギヤ７４２および小径ギヤ７４３により、大径ギヤ７４２および小径ギヤ７４３の外側（噛み合っていない側）を通って、ミルク用出口７４８付近へと移送される。これにより、ミルク用入口７４６あるいは共用入口７４７からケース７４１内に流入した液体あるいは空気を、ミルク用出口７４８から流出させることができる。なお、大径ギヤ７４２および小径ギヤ７４３の外側とは、大径ギヤ７４２および小径ギヤ７４３の外周部のうち、ケース７４１の内壁に近い側を意味する。
【００６３】
一方、ギヤポンプ７４の逆回転時には、大径ギヤ７４２は、ギヤポンプ用モータ２６によって、本飲料製造装置１の正面から見て反時計回りに回転される。これに伴い、小径ギヤ７４３は、同方向から見て時計回りに回転する。
【００６４】
ギヤポンプ７４の逆回転時には、共用入口７４７からギヤポンプ７４の内部空間ＩＳ２に流入した液体は、大径ギヤ７４２および小径ギヤ７４３の回転によって、ミルク用入口７４６からミルクパック９側へ逆流する。
【００６５】
分岐部７５は、図１０に示すように、前後方向に延在する円筒または管状の部材である。この分岐部７５には円柱形状の内部空間ＩＳ３が形成される。分岐部７５の上部前寄りには、ミルク用出口７４８と流体連通する入口７５１が形成される。分岐部７５の下部後端側には、コールドミルク用ノズル７７と流体連通する第１出口７５２が形成される。分岐部７５の前端には、後述のミルク用流路７９と流体連通するように第２出口７５３が形成される。分岐部７５の後端は、後述のバルブ７６が挿入される開口７５４が形成されている。
【００６６】
バルブ７６は、分岐部７５の内部空間ＩＳ３の開口７５４に挿入され、ほぼ円柱形状の回転体７６１を有する。この回転体７６１の外周面（換言すると、側面）には、第１リング溝７６２と、第２リング溝７６３とが形成される。第１リング溝７６２の軸芯はｙ軸と平行であるが、第２リング溝７６３の軸芯は、ｙ軸と非平行で、ｘ軸方向からの平面視でｙ軸に対し斜めになっている。以上の第１リング溝７６２および第２リング溝７６３には、図１１に示すように、第１Ｏリング７６４および第２Ｏリング７６５が取り付けられる。なお、図１０には、便宜上、Ｏリング７６４、７６５は示されておらず、図１１には、便宜上、リング溝７６２、７６３は示されていない。
【００６７】
ここで、両Ｏリング７６４、７６５の間のｙ軸方向における空間距離（以下、リング間距離という）ｄは、図１１に示すように、バルブ７６の周面上の位置（換言すると、バルブ７６の中心軸からの方位）により異なる。従って、回転体７６１の回転により、図１１上段に示すように、リング間距離ｄの最短の部分が上方を向いた時、入口７５１と第２出口７５３とが流体連通し（一点鎖線の矢印を参照）、図１１下段に示すように、この最短部分が下方を向いた時、入口７５１と第１出口７５２とが流体連通する（一点鎖線の矢印を参照）。
【００６８】
また、バルブ７６の回転のために、図１１に示すように、バルブ７６の後端には、バルブ側ギヤ７６６が取り付けられる。より具体的には、バルブ側ギヤ７６６は、自身の回転軸と、バルブ７６の中心軸とが軸合わせされた状態で取り付けられる。ここで、ミルクフォーマ７３を本体２に取り付け容易にするために、バルブ側ギヤ７６６が本体２に対し挿抜可能になっていることが好ましい。
【００６９】
バルブ７６の回転のために、本体２には、図５および図６に示すように、バルブ用モータ２７が内蔵される。バルブ用モータ２７は、図１２に示すように、回転軸２７１と、モータ側ギヤ２７２と、を有する。モータ側ギヤ２７２は、図１２に示すように、回転軸２７１の先端に固定され、バルブ側ギヤ７６６と噛み合う。
【００７０】
コールドミルク用ノズル７７は、分岐部７５を介してケース７４１に一体的に取り付けられている。このコールドミルク用ノズル７７は、図１０に示すように、上下方向に延在する円筒または管状の部材である。このコールドミルク用ノズル７７には円柱形状の内部空間ＩＳ４が形成される。コールドミルク用ノズル７７の上端には、第１出口７５２と内部空間ＩＳ４とを流体連通させる入口が形成される。また、コールドミルク用ノズル７７の下端は内部空間ＩＳ４と流体連通するように開口し、この開口から内部空間ＩＳ４に調質器７８が挿入される。
【００７１】
ミルク用流路７９の上流端は第２出口７５３と流体連通可能に接続され、その下流端はホットミルク用ノズル７１０と流体連通可能に接続される。ホットミルク用ノズル７１０は、図６に示すように、蒸気用配管２２４の下流端と流体連通可能に接続される。
【００７２】
＜１−３．ミルクフォーマの動作（スチームミルク作成時）＞
次に、上記構成のミルクフォーマ７３の動作例について説明する。図１３は、飲料製造装置１の各部を制御する制御部１２を例示した図である。制御部１２は、本体２の図示しない内部に設けられ、ボタン受付部１２１、湯ポンプ制御部１２２、エアポンプ制御部１２３、ギヤポンプ用モータ制御部１２４、バルブ用モータ制御部１２５を有する。エアポンプ制御部１２３は、エアポンプ２４１の駆動を制御する。ギヤポンプ用モータ制御部１２４は、ギヤポンプ用モータ２６の駆動を制御し、ギヤポンプ７４を動作させる。バルブ用モータ制御部１２５は、バルブ用モータ２７の駆動を制御する。
【００７３】
なお、制御部１２は、例えばＣＰＵおよびメモリを有し、ＣＰＵがメモリからプログラムを読み出し、これを実行することにより、本実施の形態にて説明する制御を行っている。
【００７４】
ボタン受付部１２１は、ボタン群４等に対する飲料製造装置１の使用者の操作を受け付ける。ボタン受付部１２１が、ボタン群４のうちの特定のボタンが操作され、操作されたボタンがスチームミルクを使用した飲料であったと判定した場合、制御部１２の他の構成は、以下のような制御を行う。
【００７５】
まず、バルブ用モータ制御部１２５は、バルブ用モータ２７を駆動する。これにより、回転軸２７１が回転する。回転軸２７１に生じた力は、先端のモータ側ギヤ２７２およびバルブ側ギヤ７６６を介して、バルブ７６に伝達される。スチームミルクを生成する場合、バルブ用モータ制御部１２５は、バルブ用モータ２７を制御して、リング間距離ｄの最短部分が上方を向くようにバルブ７６を回転させ停止させる。これにより、分岐部７５の内部空間ＩＳ３には、入口７５１から第２出口７５３への向かう流路（図１１上段の一点鎖線の矢印を参照）が形成される。
【００７６】
制御部１２はさらに、電磁ポンプ２２１を運転し、三方弁２２５に通電する。これにより、湯タンク２１１の湯は、ミルク側給湯配管２２２を介してボイラ２２３に流入し始める。流入した湯はボイラ２２３により蒸気となり、蒸気用配管２２４を介してホットミルク用ノズル７１０に供給される。
【００７７】
次に、ギヤポンプ用モータ制御部１２４は、ギヤポンプ用モータ２６を駆動する。その結果、回転軸２６１に生じた回転力は、モータ側磁石２６２とポンプ側磁石７４５との間のマグネットカップリングにより、大径ギヤ７４２に伝達される。その結果、大径ギヤ７４２が回転し始め、小径ギヤ７４３は大径ギヤ７４２と従動回転する。この時、両ギヤ７４２、７４３は図９に示す矢印ａ、ｂの方向に回転する。かかる回転により、ギヤポンプ７４は、ミルクパック９内のミルクを、ミルク供給配管２３１を介して、吸い上げ始める。ギヤポンプ７４内に吸い上げられたミルクは、両ギヤ７４２、７４３の回転により、これらの外側を回ってミルク用出口７４８から吐出される。
【００７８】
なお、スチームミルク作成時、エアポンプ２４１は停止し、空気弁２４３は閉止される。即ち、ギヤポンプ７４は、空気供給部２４による空気の供給を受けない。
【００７９】
ミルク用出口７４８から吐出されたミルクは、分岐部７５の入口７５１に供給される。入口７５１から内部空間ＩＳ３に流入したミルクは、内部空間ＩＳ３を通って第２出口７５３から吐出され、その後、ミルク用流路７９を介して、ホットミルク用ノズル７１０に流入する。上記の通り、ホットミルク用ノズル７１０には、蒸気用配管２２４から蒸気が供給される。ホットミルク用ノズル７１０の内部ではミルクが蒸気で加熱され、これによって、スチームミルクが生成される。生成されたスチームミルクは、ホットミルク用ノズル７１０から容器１０に向けて吐出される。
【００８０】
＜１−４．ミルクフォーマの動作（コールドミルク作成時）＞
また、ボタン群４のうちの特定のボタンが操作され、操作されたボタンがコールドミルクを使用した飲料であった場合、制御部１２は、以下のように上記構成の各部を制御する。
【００８１】
まず、バルブ用モータ制御部１２５は、バルブ用モータ２７を制御して、リング間距離ｄの最短部分が下方を向くようにバルブ７６を回転させ停止させる。これにより、分岐部７５の内部空間ＩＳ３には、入口７５１から第１出口７５２への流路（図１１下段の一点鎖線の矢印を参照）が形成される。
【００８２】
ギヤポンプ用モータ制御部１２４はさらに、ギヤポンプ用モータ２６を駆動する。これにより、１−３欄での説明と同様に、ギヤポンプ７４が、ミルクパック９内のミルクを吸い上げ始める。ギヤポンプ７４内のコールドミルクは、両ギヤ７４２、７４３の回転により、ミルク用出口７４８から吐出される。
【００８３】
コールドミルク作成時、ギヤポンプ７４は、空気供給部２４から空気の供給を受けない。
【００８４】
ミルク用出口７４８からのミルクは、分岐部７５の入口７５１に供給される。入口７５１から内部空間ＩＳ３に流入したミルクは、内部空間ＩＳ３を通って第１出口７５２から吐出され、コールドミルク用ノズル７７の上端から内部空間ＩＳ４に流入する。流入したミルクは、コールドの状態を保ったまま、コールドミルク用ノズル７７の下端から、容器１０に向けて吐出される。
【００８５】
＜１−５．ミルクフォーマの動作（コールドのフォームドミルク作成時）＞
また、ボタン群４のうちの特定のボタンが操作され、操作されたボタンがコールドのフォームドミルクを使用した飲料であった場合、制御部１２は、以下のように上記構成の各部を制御する。
【００８６】
まず、バルブ用モータ制御部１２５は、バルブ用モータ２７を制御して、リング間距離ｄの最短部分が下方を向くようにバルブ７６を回転させ停止させる。これにより、分岐部７５の内部空間ＩＳ３には、入口７５１から第１出口７５２への流路（図１１下段の一点鎖線の矢印を参照）が形成される。
【００８７】
次に、エアポンプ制御部１２３は、コールドのフォームドミルクの作成時、空気弁２４３を開放し、エアポンプ２４１を駆動する。その結果、外部の空気は、エアポンプ２４１に取り込まれ、空気供給配管２４２およびギヤポンプ７４の共用入口７４７を介して、ギヤポンプ７４の内部空間ＩＳ１に供給される。
【００８８】
ギヤポンプ用モータ制御部１２４はさらに、ギヤポンプ用モータ２６を駆動する。これにより、１−３欄での説明と同様にして、ギヤポンプ７４は、ミルクパック９内のミルクを吸い上げ始める。
【００８９】
ギヤポンプ７４内のミルクおよび空気は、両ギヤ７４２、７４３の回転により混合され、これによって、コールドのフォームドミルクが生成される。生成されたコールドのフォームドミルクは、回転する両ギヤ７４２、７４３の外側を回り、ミルク用出口７４８から吐出される。
【００９０】
ミルク用出口７４８から吐出されたコールドのフォームドミルクは、分岐部７５の入口７５１に供給された後、内部空間ＩＳ３を通って第１出口７５２から吐出されて、コールドミルク用ノズル７７の上端から内部空間ＩＳ４に流入する。内部空間ＩＳ４には、前述のように調質器７８が設けられている。調質器７８は、流入したコールドのフォームドミルクの泡を均質化して、コールドミルク用ノズル７７の下端から、容器１０に向けて吐出される。
【００９１】
＜１−６．ミルクフォーマの動作（ホットのフォームドミルク作成時）＞
また、ボタン群４のうちの特定のボタンが操作され、操作されたボタンがホットのフォームドミルクを使用した飲料であった場合、制御部１２は、以下のように上記構成の各部を制御する。
【００９２】
まず、バルブ用モータ制御部１２５は、バルブ用モータ２７を制御して、リング間距離ｄの最短部分が上方を向くようにバルブ７６を回転させ停止させる。これにより、分岐部７５の内部空間ＩＳ３には、入口７５１から第２出口７５３への向かう流路（図１１上段の一点鎖線の矢印を参照）が形成される。
【００９３】
また、１−３欄に記載した通り、蒸気が蒸気用配管２２４を介してホットミルク用ノズル７１０に供給される。
【００９４】
また、１−５欄に記載した通り、ギヤポンプ７４は、コールドのフォームドミルクを生成し、ミルク用出口７４８から吐出する。
【００９５】
ミルク用出口７４８から吐出されたコールドのフォームドミルクは、分岐部７５の入口７５１に流入し、第２出口７５３から吐出された後、ミルク用流路７９を介して、ホットミルク用ノズル７１０に流入する。上記の通り、ホットミルク用ノズル７１０には、蒸気用配管２２４から蒸気が供給される。ホットミルク用ノズル７１０の内部ではフォームドミルクが蒸気で加熱され、これによって、ホットのフォームドミルクが生成される。生成されたホットのフォームドミルクは、ホットミルク用ノズル７１０から容器１０に向けて吐出される。
【００９６】
＜１−７．ミルクフォーマの洗浄時の動作＞
次に、飲料製造装置１において、ミルクフォーマ７３の洗浄を行う際の動作について説明する。ミルクフォーマ７３の洗浄は、例えば飲料製造装置１のメンテナンス時に行われる。従って、洗浄動作が手動で行われる際の契機となる洗浄ボタン４１は、図１に示すボタン群４のうちのいずれかではなく、例えばドア３の裏面等、飲料製造装置１の管理者（飲料製造装置１が設置された店舗の従業員等）以外には触れられない場所に設けられたボタンであることが望ましい。なお、洗浄動作が例えば所定周期毎に自動で行われる場合は、洗浄ボタン４１は設けられていなくてもよい。
【００９７】
なお、本開示の実施の形態において、ミルクフォーマ７３の洗浄とは、ミルクフォーマ７３におけるミルクの流路を洗浄することを意味する。ミルクの流路とは、すなわち、ミルクパック９内に挿入されたミルク供給配管２３１の上流端からギヤポンプ７４のミルク用入口７４６に至るまでの流路（すなわちミルク供給配管２３１）と、ギヤポンプ７４の内部空間ＩＳ２から、ギヤポンプ７４のミルク用出口７４８および分岐部７５を経由してコールドミルク用ノズル７７および／またはホットミルク用ノズル７１０に至るまでの流路、の両方を含む。
【００９８】
なお、以下では、説明の都合上、ミルクパック９内に挿入されたミルク供給配管２３１の上流端からギヤポンプ７４のミルク用入口７４６に至るまでの流路（すなわちミルク供給配管２３１）を第２流路、ギヤポンプ７４の内部空間ＩＳ２から、ギヤポンプ７４のミルク用出口７４８および分岐部７５を経由してコールドミルク用ノズル７７および／またはホットミルク用ノズル７１０に至るまでの流路を第１流路と称する。
【００９９】
ミルクフォーマ７３の洗浄時には、制御部１２は、以下のように上記構成の各部を制御する。湯ポンプ制御部１２２は、例えば所定量の洗浄用水（湯）を、湯タンク２１１からコーヒー側給湯配管２１５ａ、分岐弁２２１４、洗浄用水供給配管２５１、Ｔ字分岐部２５２、および共用配管２５３を通って共用入口７４７からギヤポンプ７４に供給するように湯ポンプ２１２を駆動する。ここで、湯ポンプ２１２が供給する洗浄用水の量は、洗浄を行うべき箇所によって適宜設定される。湯ポンプ制御部１２２は、湯ポンプ２１２の回転数や駆動時間等を制御することで必要な量の洗浄用水をギヤポンプ７４に供給する。例えば、供給する洗浄用水の量は、湯ポンプ２１２と分岐弁２２１４との間に設けられた流量計（図示せず）によって計測されればよい。
【０１００】
図１４は、洗浄動作の際の洗浄用水（湯）の流れを説明するための図である。上述したようにギヤポンプ７４内に供給された洗浄用水は、ギヤポンプ７４の回転方向により、第２流路と第１流路のうちのいずれかを洗浄する。
【０１０１】
＜１−７−１．第１流路の洗浄動作＞
以下、洗浄動作について具体的に説明する。まず、ギヤポンプ７４内のミルク用入口７４６付近の空間から、ギヤポンプ７４のミルク用出口７４８および分岐部７５を経由してコールドミルク用ノズル７７および／またはホットミルク用ノズル７１０に至る第１流路の洗浄を行う場合について説明する。
【０１０２】
第１流路の洗浄を行う場合、湯ポンプ制御部１２２は、湯ポンプ２１２を駆動し、湯（洗浄用水）を湯タンク２１１からギヤポンプ７４に供給させる。
【０１０３】
また、ギヤポンプ用モータ制御部１２４は、ギヤポンプ用モータ２６を駆動し、ギヤポンプ７４を所定の回転数で順回転させる、順回転とは、すなわち、図９に示す矢印ａの方向に大径ギヤ７４２を回転させることを意味する。この場合、ギヤポンプ７４の回転によって、共用入口７４７を通って湯タンク２１１からギヤポンプ７４に供給された洗浄用水は、ギヤポンプ７４内を通過してミルク用出口７４８から分岐部７５に移送され、コールドミルク用ノズル７７および／またはホットミルク用ノズル７１０のいずれかから飲料製造装置１の外部へと排出される。コールドミルク用ノズル７７あるいはホットミルク用ノズル７１０のいずれかから飲料製造装置１の外部に排出された洗浄用水（すすぎ液）は、例えば飲料製造装置１の管理者が、コールドミルク用ノズル７７あるいはホットミルク用ノズル７１０の直下のドリップトレイ８上に用意した容器等に貯留される。
【０１０４】
なお、上記した湯ポンプ制御部１２２によるギヤポンプ７４への湯の供給と、ギヤポンプ用モータ制御部１２４によるギヤポンプ７４の回転とは、どちらが先に行われてもよいし、同時に開始されてもよい。
【０１０５】
ここで、ギヤポンプ用モータ制御部１２４は、ギヤポンプ７４の回転数を、ミルクパック９内のミルクを吸い上げず、かつ、ギヤポンプ７４内の洗浄用水がミルク用入口７４６からミルク供給配管２３１を通ってミルクパック９側へ流出しないような上記所定の回転数に設定する。具体的には、ギヤポンプ用モータ制御部１２４は、ギヤポンプ７４に供給された洗浄用水の量と、ギヤポンプ７４の順回転によってギヤポンプ７４から排出させる洗浄用水の量と、がほぼ同じになるようにギヤポンプ７４の回転数を制御する。これにより、第１流路の洗浄中に洗浄用水にミルクが混じったり、ミルク供給配管２３１を洗浄用水が逆流したり事態を防止することができる。このため、第１流路の洗浄中に、ミルクパック９をミルク保冷庫６から取り外す必要がないので、洗浄の手間が軽減される。
【０１０６】
このようにギヤポンプ７４が順回転される場合、洗浄用水は、第１流路の洗浄（リンス）を行うことができる。
【０１０７】
なお、ギヤポンプ７４のミルク用出口７４８から分岐部７５内に移送された洗浄用水は、コールドミルク用ノズル７７とホットミルク用ノズル７１０のうち、バルブ用モータ制御部１２５により選択されたいずれかのノズルから流出する。あるいは、洗浄用水は両方のノズルから同時に流出するようにしてもよい。洗浄用水がいずれかあるいは両方のノズルから流出することで、コールドミルク用ノズル７７および／またはホットミルク用ノズル７１０の洗浄が行われる。
【０１０８】
＜１−７−２．第２流路の洗浄動作＞
一方、ミルクパック９内に挿入されたミルク供給配管２３１の上流端からギヤポンプ７４のミルク用入口７４６に至る第２流路（すなわちミルク供給配管２３１）の洗浄を行う場合、第１流路の洗浄動作と同様に、湯ポンプ制御部１２２は、湯ポンプ２１２を駆動し、湯（洗浄用水）を湯タンク２１１からギヤポンプ７４に供給させる。
【０１０９】
また、ギヤポンプ用モータ制御部１２４は、ギヤポンプ用モータ２６を駆動して、ギヤポンプ７４を逆回転させる。すると、共用入口７４７からケース７４１内に流入した洗浄用水は、ミルク用入口７４６からミルクパック９側へ逆流する。
【０１１０】
なお、上記した湯ポンプ制御部１２２によるギヤポンプ７４への湯の供給と、ギヤポンプ用モータ制御部１２４によるギヤポンプ７４の回転とは、どちらが先に行われてもよいし、同時に開始されてもよい。
【０１１１】
このようにギヤポンプ７４が逆回転される場合、洗浄用水は、ギヤポンプ７４のミルク用入口７４６付近、およびミルク供給配管２３１（第２流路）の洗浄（リンス）を行うことができる。
【０１１２】
なお、第２流路の洗浄を行う場合、ミルクパック９内に洗浄用水が流入しないように、例えば飲料製造装置１の管理者等は、ミルク供給配管２３１の上流端をミルクパック９から取り出し、取り出した上流端を洗浄用容器１１内に挿入する。洗浄用容器１１は、洗浄用水を貯留するための容器であり、例えば単なる空の容器である。
【０１１３】
ミルク供給配管２３１の上流端が洗浄用容器１１内に挿入された状態で、ギヤポンプ用モータ制御部１２４がギヤポンプ７４を逆回転させると、ギヤポンプ７４は、ギヤポンプ７４内の洗浄用水を、ミルク用入口７４６からミルク供給配管２３１へと流出させ、洗浄用容器１１に貯留させる。
【０１１４】
＜１−７−３．洗剤液を用いた洗浄動作＞
次に、洗剤液を用いたミルクフォーマ７３の第１流路および第２流路の洗浄動作について説明する。洗剤液を用いた洗浄を行う場合、飲料製造装置１の管理者が、空の洗浄用容器１１に例えば洗浄タブレット等を入れておくことにより、洗浄用容器１１に貯留された洗浄用水に洗浄タブレットが溶けて洗剤液が生成される。なお、洗浄タブレットは洗浄剤の一例である。
【０１１５】
ミルク供給配管２３１の上流端が洗浄タブレットを入れた空の洗浄用容器１１内に挿入された後、洗浄動作が開始されると、上記した１−７−２欄の説明と同様に、湯ポンプ２１２が駆動され、湯タンク２１１からギヤポンプ７４に供給された洗浄用水が、ギヤポンプ７４の逆回転によって、ギヤポンプ７４のミルク用入口７４６からミルク供給配管２３１を通って洗浄用容器１１へと流れ、洗浄用容器１１内に所定量の洗浄用水が貯留される。
【０１１６】
制御部１２が洗浄用容器１１内に所定量の洗浄用水が貯留されたと判定すると、ギヤポンプ用モータ制御部１２４は、ギヤポンプ７４の逆回転を停止させる。これにより、ギヤポンプ７４から流出する洗浄用水が停止される。洗浄用容器１１には所定量の洗浄用水が貯留されるので、洗浄タブレットが溶けて所定濃度の洗剤液が生成される。例えば、制御部１２は、洗浄用水の供給が開始されてから所定の時間が経過した場合に、洗浄用容器１１内に所定量の洗浄用水が貯留されたと判定すればよい。または、制御部１２は、例えばミルク供給配管２３１の一部に設けられた流量計（図示せず）を用いて、洗浄用容器１１内に所定量の洗浄用水が貯留されたことを検出してもよい。
【０１１７】
洗浄用容器１１内に所定量および所定濃度の洗剤液が生成されると、湯ポンプ制御部１２２は湯ポンプ２１２を停止させ、ギヤポンプ用モータ制御部１２４はギヤポンプ７４を順回転させる。すると、ギヤポンプ７４は、洗浄用容器１１内の洗剤液を、洗浄用容器１１内に挿入されたミルク供給配管２３１の上端部からミルク供給配管２３１およびミルク用入口７４６を介して、ギヤポンプ７４内に吸い上げ始める。そして、上記したギヤポンプ７４の順回転時と同様に、ギヤポンプ７４が吸い上げた洗剤液は、ギヤポンプ７４内を通過してミルク用出口７４８から分岐部７５に流れ、コールドミルク用ノズル７７あるいはホットミルク用ノズル７１０のいずれかから飲料製造装置１の外部へと排出される。
【０１１８】
このような動作により、第２流路およびギヤポンプ７４の内部を含む第１流路が洗剤液によって洗浄される。さらに、洗剤液による洗浄が十分行われたと制御部１２が判断した場合、湯ポンプ制御部１２２は再度湯ポンプ２１２を動作させる。すると、湯ポンプ２１２によって湯タンク２１１から洗浄用水がギヤポンプ７４に供給される。そして、ギヤポンプ用モータ制御部１２４は、ギヤポンプ７４の回転数を制御して、ギヤポンプ７４が洗浄用容器１１内の洗剤液を吸い上げないようにする。
【０１１９】
なお、制御部１２は、洗浄用容器１１からギヤポンプ７４が吸い上げた洗剤液の量が所定量以上となった場合、あるいは、洗浄用容器１１からギヤポンプ７４が洗剤液を吸い上げ始めてから所定の時間が経過した場合に、洗剤液による洗浄が十分行われたと判断すればよい。
【０１２０】
その後、さらにギヤポンプ用モータ制御部１２４がギヤポンプ７４の順回転を継続させると、ギヤポンプ７４内の洗浄用水が第１流路を通ってコールドミルク用ノズル７７および／またはホットミルク用ノズル７１０から飲料製造装置１の外部へと排出される。これにより、ギヤポンプ７４内および第１流路内に残った洗剤液を洗浄用水で洗い流すことができる。
【０１２１】
また、湯ポンプ制御部１２２およびギヤポンプ用モータ制御部１２４は、洗剤液による洗浄後に、湯ポンプ２１２を動作させたままギヤポンプ７４を逆転させると、ギヤポンプ７４内の洗浄用水がミルク用入口７４６からミルク供給配管２３１を通って洗浄用容器１１側へと流出する。これにより、第２流路内に残った洗剤液を洗浄用水で洗い流すことができる。第２流路を洗い流した廃液は、洗浄用容器１１に貯留される。
【０１２２】
さらに、上記したように洗剤液を洗い流した後、湯ポンプ制御部１２２およびギヤポンプ用モータ制御部１２４は、湯ポンプ２１２を停止させてエアポンプ２４１を動作させる。これにより、Ｔ字分岐部２５２からギヤポンプ７４までの間の共用配管２５３内に残っていた洗浄用水（廃液）を、エアポンプ２４１から供給される空気によってギヤポンプ７４内に排出させることができる。ギヤポンプ７４内の廃液は、上記したように第１流路あるいは第２流路から排出される。
【０１２３】
上述した第１流路の洗浄動作および第２流路の洗浄動作は、飲料製造装置１の管理者がミルクパック９内に挿入されていたミルク供給配管２３１の上流端を洗浄用容器１１に挿入し直して洗浄ボタン４１を操作するだけで自動的に行われる。また、飲料製造装置１の管理者が洗浄タブレットを洗浄用容器１１に入れておき、上記第１流路および第２流路の洗浄動作のみを行う場合とは異なる所定の操作を洗浄ボタン４１に対して行った場合は、上述した第１流路の洗浄動作と洗剤液を用いた洗浄動作とが行われた後、再度第１流路の洗浄動作と第２流路の洗浄動作とが自動的に行われる。すなわち、飲料製造装置１の管理者はミルク供給配管２３１の上流端の洗浄用容器１１への挿入と洗浄ボタン４１の操作とを行うだけで、飲料製造装置１におけるミルクフォーマ７３の通液洗浄は完了まで自動的に行われる。このため、飲料製造装置１の管理者の負担が少なくてすむ。また、飲料製造装置１の洗浄動作が例えば所定周期毎に自動で行われる場合にも、管理者がミルク供給配管２３１の上流端の洗浄用容器１１への挿入を行うだけでミルクフォーマ７３の通液洗浄は完了まで自動的に行われるため、管理者の負担が少なくてすむ。
【０１２４】
なお、コーヒー抽出用の湯ポンプ２１２は、コーヒーを好適に抽出するため、湯タンク２１１の湯を高圧にして出力する。このため、湯ポンプ２１２が出力した湯をそのまま分岐弁２２１４を経てギヤポンプ７４に導入する場合、高圧の湯によって、例えば分岐弁２２１４やＴ字分岐部２５２等の接続部分が外れてしまう等の不具合が生じることがある。
【０１２５】
このような事態を防止するためには、湯ポンプ２１２からＴ字分岐部２５２に至るまでの流路、あるいはＴ字分岐部２５２内に例えばオリフィス板等の減圧部を設けるようにすればよい。
【０１２６】
例えば、洗浄用水供給配管２５１（要するに湯ポンプ２１２側）とチューブ２５２３の間にオリフィス管を設ける。オリフィス管の一方とチューブ２５２３を接続し、オリフィス管の他方と別のチューブとを接続する。この別のチューブは洗浄用水供給配管２５１（湯ポンプ２１２側）と接続される。この別のチューブは耐圧仕様の管で構成される（例えば材質をフッ素とする）。一方、チューブ２５２３（他のチューブ２５２２、２５２４も）は耐圧仕様でない一般的な管で構成される（例えば材質をシリコンとする）。
【０１２７】
このように、Ｔ字分岐部２５２と別にオリフィス管を設けることで、チューブ２５２３全体を耐圧仕様にすることなく、また、別のチューブをできるだけ洗浄用水供給配管２５１（湯ポンプ２１２側）側に設けて耐圧チューブの長さを抑えることができるので、コストを抑えることができる。
【０１２８】
また、例えば、チューブ２５２３にナットをかしめて、Ｔ字分岐部２５２のチューブ２５２３側の先端にボルト形状の溝を形成して、チューブ２５２３とＴ字分岐部２５２とを螺合してもよい。このようにすることで、湯ポンプ２１２からの高圧の湯によってＴ字分岐部２５２の接続部分の脱落を防止することができる。また、Ｔ字分岐部２５２のチューブ２５２３側の先端の管内部にオリフィス形状を設けて減圧してもよい。また、これらのボルトとナットの構造や管内部のオリフィス形状は、上述の耐圧仕様の別なチューブとオリフィス管に設けるようにしてもよい。
【０１２９】
＜１−８．作用・効果＞
以上説明したように、本開示の実施の形態に係る飲料製造装置１において、ミルク容器（ミルクパック９）からミルク供給配管２３１を介して供給されたミルクと空気とを混合してフォームドミルクを生成するギヤポンプ７４を有するミルクフォーマ７３と、湯タンク２１１から湯ポンプ２１２により供給される湯を用いてコーヒーを抽出するコーヒー抽出部２１と、制御部１２と、を有し、コーヒー抽出部２１は、湯タンク２１１の湯をコーヒー抽出部２１とギヤポンプ７４のいずれかに供給する分岐弁２２１４を有し、制御部１２は、ミルクフォーマ７３におけるミルクの流路の洗浄を行う場合に、分岐弁２２１４を制御して湯をギヤポンプ７４に供給した後、ギヤポンプ７４を回転させてミルクの流路にギヤポンプ７４内の湯を流す。
【０１３０】
このように、本開示の飲料製造装置１は、コーヒー抽出用の湯を用いてミルクフォーマ７３の洗浄を行う。このため、洗浄用の水あるいは湯を貯留しておくタンクを別に備える必要がなく、飲料製造装置１の大型化を防止できるとともに、製造コストを抑えることができる。また、飲料製造装置１の設置位置が制限されないので、設置自由度が向上する。
【０１３１】
また、本開示の飲料製造装置１は、ギヤポンプ７４に空気を供給するエアポンプ２４１と、エアポンプ２４１の供給する空気が流れる空気供給配管２４２、洗浄用水供給配管２５１、およびギヤポンプ７４に供給される空気および洗浄用水のうちの少なくとも１つが流れる共用配管２５３が接続された分岐部材（Ｔ字分岐部２５２）と、を有する。
【０１３２】
そして、Ｔ字分岐部２５２は、空気供給配管２４２の下流端に一端が接続された第１チューブ（チューブ２５２２）と、洗浄用水供給配管の下流端に一端が接続された第２チューブ（チューブ２５２３）と、共用配管の上流端に一端が接続された第３チューブ（チューブ２５２４）と、チューブ２５２２〜２５２４の他端が先端部に接続された三方管（Ｔ字管２５２１）と、により構成される。
【０１３３】
このような構成により、Ｔ字管２５２１に接続されたチューブ２５２４を引き抜くことにより、容易にＴ字分岐部２５２の分解を行うことができる。これにより、例えば飲料製造装置１を分解洗浄する際に、特にギヤポンプ７４部分の取り外しおよび取り付けに要する手間および時間を短縮することができる。
【０１３４】
なお、本実施形態では、共用入口７４７を用いて洗浄用水や空気の流入口としたが、流入口は共用でなく、別個独立にしてもよい。この場合、Ｔ字分岐部２５２を用いず、洗浄用水の配管と空気の配管とが別個に設けられる。
【０１３５】
以上、図面を参照しながら各種の実施形態について説明したが、本開示はかかる例に限定されない。当業者であれば、特許請求の範囲に記載された範疇内において、各種の変更例または修正例に想到しうることは明らかであり、それらについても当然に本開示の技術的範囲に属するものと了解される。また、開示の趣旨を逸脱しない範囲において、上記実施の形態における各構成要素は任意に組み合わせてられてもよい。
【産業上の利用可能性】
【０１３６】
本開示は、ミルクフォーマを有する飲料製造装置に有用である。
【符号の説明】
【０１３７】
１  飲料製造装置
２  本体
３  ドア
４  ボタン群
４１  洗浄ボタン
５  キャニスタ
６  ミルク保冷庫
７  ノズルユニット
８  ドリップトレイ
９  ミルクパック
１０  容器
１１  洗浄用容器
１２  制御部
１２１  ボタン受付部
１２２  湯ポンプ制御部
１２３  エアポンプ制御部
１２４  ギヤポンプ用モータ制御部
１２５  バルブ用モータ制御部
２１  コーヒー抽出部
２１１  湯タンク
２１２  湯ポンプ
２１３  フィルタ
２１４  給湯弁
２１５，２１５ａ，２１５ｂ  コーヒー側給湯配管
２１６  昇降装置
２１７  シリンダユニット
２１８  キャップ
２１９  シリンダ
２２１０  ピストン
２２１１  抽出孔
２２１２  コーヒー液配管
２２１３  ミル
２２１４  分岐弁
２２  蒸気供給部
２２１  電磁ポンプ
２２２  ミルク側給湯配管
２２３  ボイラ
２２４  蒸気用配管
２２５  三方弁
２３  ミルク供給部
２３１  ミルク供給配管
２４  空気供給部
２４１  エアポンプ
２４２  空気供給配管
２４３  空気弁
２５  洗浄用水供給部
２５１  洗浄用水供給配管
２５２  Ｔ字分岐部
２５２１  Ｔ字管
２５２２，２５２３，２５２４  チューブ
２５３  共用配管
２６  ギヤポンプ用モータ
２６１  回転軸
２６２  モータ側磁石
２７  バルブ用モータ
２７１  回転軸
２７２  モータ側ギヤ
７１  カバー
７２  コーヒー用ノズル
７３  ミルクフォーマ
７４  ギヤポンプ
７４１  ケース
７４２  大径ギヤ
７４３  小径ギヤ
７４４  蓋
７４５  ポンプ側磁石
７４６  ミルク用入口
７４７  共用入口
７４８  ミルク用出口
７５  分岐部
７５１  入口
７５２  第１出口
７５３  第２出口
７５４  開口
７６  バルブ
７６１  回転体
７６２  第１リング溝
７６３  第２リング溝
７６４  第１Ｏリング
７６５  第２Ｏリング
７６６  バルブ側ギヤ
７７  コールドミルク用ノズル
７８  調質器
７９  ミルク用流路
７１０  ホットミルク用ノズル
【図１】
2018075177.tif 000003
【図２】
2018075177.tif 000004
【図３】
2018075177.tif 000005
【図４】
2018075177.tif 000006
【図５】
2018075177.tif 000007
【図６】
2018075177.tif 000008
【図７】
2018075177.tif 000009
【図８】
2018075177.tif 000010
【図９】
2018075177.tif 000011
【図１０】
2018075177.tif 000012
【図１１】
2018075177.tif 000013
【図１２】
2018075177.tif 000014
【図１３】
2018075177.tif 000015
【図１４】
2018075177.tif 000016